(57)【要約】【課題】医療分野で使用する痰吸入チューブの密着弁蓋を提供する。【解決手段】痰吸入チューブの密着弁蓋１は、弁体１０及び弾性収縮蓋１１を備える。弁体１０は、中空状に形成され、開放状の一端を有する。弾性収縮蓋１１は、弁体１０の他端に設けられ、接触リブ１１１が内壁面上に突設されている。接触リブ１１１は、頂面から径方向で外側に広がりながら弾性収縮蓋１１の内壁に延伸され、接触リブ１１１それぞれの突出部上に凸弧面１１２が形成されている。弁体１０の外縁には、痰吸入チューブ内に嵌装させるリング１２が設けられている。リング１２は、弁体１０の外縁から外側に向かって延伸された環縁部１２０と、環縁部１２０の外側に突設された突縁と、を有する。接触リブ１１１は複数である。弾性収縮蓋１１の内壁の頂面には、貫通孔１１０が設けられている。【選択図】図１
0003173275.tif 000002
【実用新案登録請求の範囲】
【請求項１】
弁体及び弾性収縮蓋を備える痰吸入チューブの密着弁蓋であって、
前記弁体は、中空状に形成され、開放状の一端を有し、
前記弾性収縮蓋は、前記弁体の他端に設けられ、接触リブが内壁面上に突設され、
前記接触リブは、頂面から径方向で外側に広がりながら前記弾性収縮蓋の内壁に延伸され、前記接触リブそれぞれの突出部上に凸弧面が形成されていることを特徴とする痰吸入チューブの密着弁蓋。
【請求項２】
前記弁体の外縁には、前記痰吸入チューブ内に嵌装させるリングが設けられていることを特徴とする請求項１に記載の痰吸入チューブの密着弁蓋。
【請求項３】
前記リングは、前記弁体の外縁から外側に向かって延伸された環縁部と、前記環縁部の外側に突設された突縁と、を有することを特徴とする請求項２に記載の痰吸入チューブの密着弁蓋。
【請求項４】
前記接触リブは複数であることを特徴とする請求項１に記載の痰吸入チューブの密着弁蓋。
【請求項５】
前記弾性収縮蓋の内壁の頂面には、貫通孔が設けられていることを特徴とする請求項１に記載の痰吸入チューブの密着弁蓋。
【請求項６】
前記弾性収縮蓋は、前記弁体と一体成形されていることを特徴とする請求項５に記載の痰吸入チューブの密着弁蓋。
【請求項７】
前記弾性収縮蓋は半弧状であることを特徴とする請求項５に記載の痰吸入チューブの密着弁蓋。
【請求項８】
前記弾性収縮蓋は錐状であることを特徴とする請求項５に記載の痰吸入チューブの密着弁蓋。
【請求項９】
前記弾性収縮蓋は三角錐状又は四角錐状であることを特徴とする請求項８に記載の痰吸入チューブの密着弁蓋。
【考案の詳細な説明】
【技術分野】
【０００１】
本考案は、医療機器に関し、特に、痰吸入チューブの密着弁蓋に関する。
【背景技術】
【０００２】
医療分野で使用する痰吸入チューブは、密閉式及び開放式の２種類を有する。密閉式とは、病人の気管を切開せずに、痰を吸入する際、病人の呼吸を維持することができるため、痰吸入により病人に与える悪影響を減らすとともに、痰の吸入過程で病人の気管が感染したり病院内で交差感染したりすることを防ぐことができる。しかし、従来の痰吸入チューブは、病人の痰を洗浄したり消毒したりする過程で注入した薬剤又は消毒液が病人の気管内に流入して呼吸に悪影響を与え、最悪の場合には負圧装置により痰吸入チューブ内の酸素が大量に吸いだされて酸素が不足してしまう虞がある。
【０００３】
そのため、従来の痰吸入チューブの欠点を改善する技術が求められていた。
【先行技術文献】
【特許文献】
【０００４】
【特許文献１】再表０１／０３６０２０
【考案の概要】
【考案が解決しようとする課題】
【０００５】
本考案の目的は、痰吸入チューブ内に設置し、痰注入チューブを洗浄したり消毒したりする際に痰吸入チューブに注入した薬剤又は消毒液が病人側に流入して病人が吸入してしまうことを防ぐとともに、痰吸入チューブ内の酸素が負圧装置により大量に吸い出され、痰吸入チューブ内の酸素が不足することを防ぐ痰吸入チューブの密着弁蓋を提供することにある。
【課題を解決するための手段】
【０００６】
上記課題を解決するために、本考案の第１の形態によれば、弁体及び弾性収縮蓋を備える痰吸入チューブの密着弁蓋であって、前記弁体は、中空状に形成され、開放状の一端を有し、前記弾性収縮蓋は、前記弁体の他端に設けられ、接触リブが内壁面上に突設され、前記接触リブは、頂面から径方向で外側に広がりながら前記弾性収縮蓋の内壁に延伸され、前記接触リブそれぞれの突出部上に凸弧面が形成されていることを特徴とする痰吸入チューブの密着弁蓋が提供される。
【０００７】
また、前記弁体の外縁には、前記痰吸入チューブ内に嵌装させるリングが設けられていることが好ましい。
また、前記リングは、前記弁体の外縁から外側に向かって延伸された環縁部と、前記環縁部の外側に突設された突縁と、を有することが好ましい。
また、前記接触リブは複数であることが好ましい。
【０００８】
また、前記弾性収縮蓋の内壁の頂面には、貫通孔が設けられていることが好ましい。
また、前記弾性収縮蓋は、前記弁体と一体成形されていることが好ましい。
【０００９】
また、前記弾性収縮蓋は半弧状であることが好ましい。
また、前記弾性収縮蓋は錐状であることが好ましい。
また、前記弾性収縮蓋は三角錐状又は四角錐状であることが好ましい。
【考案の効果】
【００１０】
本考案の痰吸入チューブの密着弁蓋は、痰吸入チューブ内に設置し、痰注入チューブを洗浄したり消毒したりする際に痰吸入チューブに注入した薬剤又は消毒液が病人側に流入して病人が吸入してしまうことを防ぐとともに、痰吸入チューブ内の酸素が負圧装置により大量に吸い出され、痰吸入チューブ内の酸素が不足することを防ぐこともできる。
【図面の簡単な説明】
【００１１】
【図１】本考案の第１実施形態による、痰吸入チューブの密着弁蓋を示す斜視図である。
【図２】本考案の第１実施形態による、痰吸入チューブの密着弁蓋を示すもう一つの斜視図である。
【図３】本考案の第１実施形態による、痰吸入チューブの密着弁蓋を示す平面図である。
【図４】本考案の第１実施形態による、痰吸入チューブの密着弁蓋を示す断面図である。
【図５】本考案の第１実施形態による、痰吸入チューブ内の状態を示す模式図である。
【図６】本考案の第１実施形態による、痰吸入チューブ内の状態を示す模式図である。
【図７】本考案の第１実施形態による、痰吸入チューブ内の状態を示す模式図である。
【図８】本考案の第２実施形態による、痰吸入チューブの密着弁蓋を示す平面図である。
【図９】本考案の第３実施形態による、痰吸入チューブの密着弁蓋を示す平面図である。
【図１０】本考案の第４実施形態による、痰吸入チューブの密着弁蓋を示す平面図である。
【図１１】本考案の第５実施形態による、痰吸入チューブの密着弁蓋を示す平面図である。
【考案を実施するための形態】
【００１２】
以下、本考案の実施形態について図に基づいて説明する。なお、これによって本考案が限定されるものではない。
【００１３】
（第１実施形態）
図１〜図４を参照して説明する。図１〜図４に示すように、本考案の第１実施形態による痰吸入チューブの密着弁蓋１は、少なくとも弁体１０と、弁体１０の端部に設けられた弾性収縮蓋１１と、から構成される。
【００１４】
弁体１０は、形状及びサイズが痰吸入チューブ２内に形成された口径の形状及びサイズに対応しているため、痰吸入チューブ２内に取り付けることができる（図５参照）。弁体１０は、中空状に形成され、弾性収縮蓋１１が一端に配置され、弁体１０の端部を挿入して痰吸入チューブ２内にロング導管２０(図６参照)を貫設させることが可能なように他端が開放状に形成されている。
【００１５】
さらに、痰吸入チューブ２内に弁体１０を簡便に固定することができるように、弁体１０の他端の外縁上にリング１２が設けられている。このリング１２は、弁体１０の他端の外縁から外部に向かって延伸された環縁部１２０と、環縁部１２０の外側に突設されたフランジ１２１と、から構成され、痰吸入チューブ２のチューブ壁に嵌められる。
【００１６】
弾性収縮蓋１１は、蓋状を呈し、上述の弁体１０の端部に取り付けられ、内壁の頂面上の略中心箇所に貫通孔１１０を有し、痰吸入チューブ２内のロング導管２０が弁体１０内まで延伸され、貫通孔１１０に貫設されている。弾性収縮蓋１１は、弁体１０に一体成形され、内壁面上に少なくとも１つの接触リブ１１１が突設されている。この接触リブ１１１は、複数個設置され、貫通孔１１０から径方向で外側に広がるように延伸され、各接触リブ１１１の突出部上に凸弧面１１２が設けられている。
【００１７】
上述のロング導管２０が貫通孔１１０に貫設されると、各接触リブ１１１の凸弧面１１２がロング導管２０の外壁面に接触された状態に維持される。第１実施形態の弾性収縮蓋１１は半弧状である。
【００１８】
図５を参照して説明する。図５に示すように、病人に対して痰吸入を行う際、痰吸入チューブ２のロング導管２０は、弁体１０内まで延伸されて弾性収縮蓋１１の貫通孔１１０に貫設されると、弾性収縮蓋１１の接触リブ１１１が凸弧面１１２を介してロング導管２０の外壁面に接触された状態に維持される。これにより、病人側まで延伸されたロング導管２０が痰に接触しても、弾性収縮蓋１１を通って外側に漏れるなどの問題が発生することはない。図６及び図７を参照する。図６及び図７に示すように、ロング導管２０を交換するために外側へ引き出す過程において、弾性収縮蓋１１の接触リブ１１１により、外壁面に付着した大量の痰を弁体１０内に溜めることができる。
【００１９】
図７を参照して説明する。図７に示すように、本考案は痰吸入チューブ２の側部に外付けした注入管２１を介し、弁体１０内に薬剤、消毒液などを注入することにより、ロング導管２０の先端頭部を簡便に洗浄したり消毒したりすることができる上、痰に触って第三者に感染することを防ぐとともに、洗浄したり消毒したりした後の薬剤又は消毒液を、ロング導管２０の先端頭部上のガイド孔２００からロング導管２０内に注入したり排出したりすることができるようにする。
【００２０】
痰吸入チューブ２は、洗浄したり消毒したりした後にロング導管２０から取り出すことができ、ロング導管２０が既に洗浄されたり消毒されたりしているため、病院内での交差感染などが発生することを防ぐとともに、注入された薬剤又は消毒液が密着弁蓋１を通って病人側に流れたり、痰吸入チューブ内の酸素が大量に負圧装置により吸い出されたりすることを防ぐことができる。
【００２１】
（第２及び第３実施形態）
図８及び図９を参照して説明する。図８及び図９に示すように、本考案の弾性収縮蓋１１の接触リブ１１１の数は、第１実施形態では４つであるが、第２実施形態では２つであり、第３実施形態では３つである。
【００２２】
（第４及び第５実施形態）
図１０及び図１１を参照して説明する。図１０及び図１１に示すように、本考案の第４実施形態及び第５実施形態の弾性収縮蓋１１の形状は、半弧状以外に、三角錐状又は四角錐状でもよい。即ち、弾性収縮蓋１１の形状及び接触リブ１１１の数は特に限定されるわけではない。
【００２３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２４】
１    密着弁蓋
２    痰吸入チューブ
１０  弁体
１１  弾性収縮蓋
１２  リング
２０  ロング導管
２１  注入管
１１０  貫通孔
１１１  接触リブ
１１２  凸弧面
１２０  環縁部
１２１  フランジ
２００  ガイド孔
【図１】
0003173275.tif 000003
【図２】
0003173275.tif 000004
【図３】
0003173275.tif 000005
【図４】
0003173275.tif 000006
【図５】
0003173275.tif 000007
【図６】
0003173275.tif 000008
【図７】
0003173275.tif 000009
【図８】
0003173275.tif 000010
【図９】
0003173275.tif 000011
【図１０】
0003173275.tif 000012
【図１１】
0003173275.tif 000013